(57)【要約】【課題】携帯端末の移動先で受信可能である放送波のチャンネル情報を簡便に取得する。【解決手段】デジタルサイネージモニタ１０のコンテンツ取得部は、コンテンツ配信サーバ６０からコンテンツ映像を取得する。モニタ１０のチャンネル情報取得部は、そのエリアで受信可能であるワンセグ放送のチャンネル情報を取得する。モニタ１０の電子透かし合成部は、コンテンツ映像にチャンネル情報を電子透かしとして埋め込む。ユーザは、携帯端末３０のカメラでモニタ１０に表示されるコンテンツ映像を撮像する。携帯端末３０の電子透かし解析部は、コンテンツ映像の電子透かしからチャンネル情報を取り出す。携帯端末３０のワンセグ受信部は、チャンネル情報にしたがってワンセグ放送を選局、復調し、放送コンテンツを受信する。【選択図】図１
2012244591.tif 000002
【特許請求の範囲】
【請求項１】
放送波を受信する受信部および撮像部を有する携帯端末に対して、現在位置で受信可能である放送波のチャンネル情報を提供する表示装置であって、
予め準備されているコンテンツ映像に前記チャンネル情報を電子透かしとして埋め込む電子透かし合成部と、
電子透かしが埋め込まれたコンテンツ映像を表示する映像表示部と、
を備えることを特徴とする表示装置。
【請求項２】
撮像部と、
前記撮像部により撮像された、現在位置で受信可能である放送波のチャンネル情報が電子透かしとして埋め込まれたコンテンツ映像を解析して電子透かしとして埋め込まれたチャンネル情報を取り出す電子透かし解析部と、
前記電子透かし解析部によって取り出されたチャンネル情報を使用して前記放送波を選局、復調して放送コンテンツを受信する受信部と、
受信された放送コンテンツを出力する出力部と、
を備えることを特徴とする携帯端末。
【請求項３】
請求項１に記載の表示装置と、
請求項２に記載の携帯端末と、
前記放送波を送信する送信機と、
を含むことを特徴とする放送システム。
【請求項４】
表示装置、携帯端末および放送波を送信する送信機を含むシステムにおいて、
前記表示装置は、現在位置で受信可能である放送波のチャンネル情報を、予め準備されているコンテンツ映像に電子透かしとして埋め込み、電子透かしが埋め込まれたコンテンツ映像を表示し、
前記携帯端末は、前記コンテンツ映像を撮像し、撮像されたコンテンツ映像を解析して電子透かしとして埋め込まれたチャンネル情報を取り出し、前記チャンネル情報を使用して前記放送波を選局、復調して放送コンテンツを受信し、受信された放送コンテンツを出力する
ことを特徴とする放送方法。
【発明の詳細な説明】
【技術分野】
【０００１】
本発明は、表示装置を利用して放送波のチャンネル情報を携帯端末に提供する技術に関する。
【背景技術】
【０００２】
動画、静止画、文字情報等が組み合わされたコンテンツ映像を再生するデジタルサイネージモニタが普及している。デジタルサイネージモニタは、店舗や公共スペースなどに設置され、主に公共案内や広告などの目的に利用されている。
【０００３】
また、従来のアナログ放送が休止となることで空く周波数帯を利用して、特定のエリア内のみで特定コンテンツを放送するエリアワンセグ放送が開始されようとしている。エリアワンセグ放送は、受信可能範囲が半径数メートル程度の小規模ものから、半径数十〜数百メートルである比較的規模の大きいものまで様々なものが想定されている。エリアワンセグ放送は、現在広く普及しているワンセグチューナで受信することができるので、放送が開始されれば多くのユーザによる利用が見込まれている。
【０００４】
ユーザがエリアワンセグ放送を受信するには、ワンセグチューナに対して選局操作をする必要がある。上記のようなエリアワンセグ放送の放送局（以下ワンセグ放送局と呼ぶこともある）のチャンネル情報（周波数）はワンセグチューナにプリセットされていないことが多いと考えられる。そのため、ユーザは、少なくとも一回はチャンネルスキャンを行うなどしてワンセグ放送局のチャンネル情報を登録する必要がある。しかし、チャンネルスキャンには数十秒以上の時間を要することも多く、また異なるエリアワンセグ放送が放送されているエリアに移動するたびにチャンネルスキャンをやり直さなければならないという問題がある。
【０００５】
このような問題を解決する技術として、例えば特許文献１には、放送情報の送信に用いる搬送波の周波数に関する情報をバーコードやＱＲコード（登録商標）などのコード情報にして外部表示装置に表示することが記載されている。端末装置のカメラでそのコード情報を撮像して搬送波の周波数を取得することで、端末装置で放送を受信できるようになる。
【先行技術文献】
【特許文献】
【０００６】
【特許文献１】特開２０１０−２４６００３号公報
【発明の概要】
【発明が解決しようとする課題】
【０００７】
特許文献１の技術では、コード情報によって映像の一部が隠されてしまうという問題がある。これを避けるべくコード情報の表示を小さくすると、コード情報をカメラで撮像するためにディスプレイに接近しなければならず、多人数により視認されるデジタルサイネージモニタでは好ましくない。
【０００８】
本発明はこうした状況に鑑みてなされたものであり、その目的は、デジタルサイネージモニタ等の表示装置でのコンテンツ映像の表示を妨げることなく、ワンセグチューナ等の携帯端末の移動先で受信可能であるワンセグ放送のチャンネル情報を表示装置から簡便に取得する技術を提供することにある。
【課題を解決するための手段】
【０００９】
本発明の一態様は、放送波を受信する受信部および撮像部を有する携帯端末に対して、現在位置で受信可能である放送波のチャンネル情報を提供する表示装置である。表示装置は、予め準備されているコンテンツ映像にチャンネル情報を電子透かしとして埋め込む電子透かし合成部と、電子透かしが埋め込まれたコンテンツ映像を表示する映像表示部と、を備える。
【００１０】
この態様によると、現在位置で受信可能な放送波のチャンネル情報が電子透かしとしてコンテンツ映像に埋め込まれるので、表示装置におけるコンテンツ映像の表示が妨げられることがない。
【００１１】
本発明の別の態様は、撮像部と、撮像部により撮像された、現在位置で受信可能である放送波のチャンネル情報が電子透かしとして埋め込まれたコンテンツ映像を解析して電子透かしとして埋め込まれたチャンネル情報を取り出す電子透かし解析部と、電子透かし解析部によって取り出されたチャンネル情報を使用して放送波を選局、復調して放送コンテンツを受信する受信部と、受信された放送コンテンツを出力する出力部と、を備える携帯端末である。
【００１２】
この態様によると、表示端末に表示されているコンテンツ映像を撮像するだけで、その位置で受信可能である放送波のチャンネル情報を取得することができる。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、デジタルサイネージモニタ等の表示装置でのコンテンツ映像の表示を妨げることなく、ワンセグチューナ等の携帯端末の移動先で受信可能であるワンセグ放送のチャンネル情報を表示装置から簡便に取得することができる。
【図面の簡単な説明】
【００１５】
【図１】本発明の一実施形態に係るワンセグ放送受信システムの全体構成図である。
【図２】地上デジタル放送におけるセグメントの概念図である。
【図３】デジタルサイネージモニタの構成を示す図である。
【図４】携帯端末の構成を示す図である。
【図５】ワンセグ送信機の構成を示す図である。
【図６】ワンセグ放送受信方法のフローチャートである。
【発明を実施するための形態】
【００１６】
図１は、本発明の一実施形態に係るワンセグ放送受信システム１００の全体構成図である。
【００１７】
デジタルサイネージモニタ（以下、単に「モニタ」とも呼ぶ）１０は、店舗や公共スペースなどに設置され、動画、静止画、文字情報等を組み合わせて構成されるコンテンツ映像を再生する装置である。モニタ１０で再生されるコンテンツ映像は、インターネット等のネットワーク６２を介してコンテンツ配信サーバ６０から取得される。コンテンツ映像は、例えば企業のスポットＣＭ、コミュニティ情報、災害時の緊急放送などであり、広告業者等によって作成され、予めコンテンツ配信サーバ６０に格納されている。代替的に、各モニタ１０の記憶装置にコンテンツ映像が予め格納されていてもよい。
【００１８】
なお、モニタ１０は、デジタルサイネージ専用に作成された液晶ディスプレイ、有機ＥＬディスプレイ、電子ペーパー等であってもよいし、一般のデジタルテレビ、ＰＣ用のモニタを利用したものであってもよい。
【００１９】
ワンセグ送信機５０は、いわゆるワンセグメント放送（以下、「ワンセグ放送」と呼ぶ）を送信する。地上デジタル放送のチャンネルは、ＵＨＦの１３〜５２チャンネルに再編成されることが予定されている。１チャンネルの帯域幅は６ＭＨｚである。図２は、各チャンネルにおける地上デジタル放送のセグメントの概念図である。図２に示すように、地上デジタル放送では、現在一つのチャンネルを１３のセグメントに分割し、そのうち１２セグメントでハイビジョンデジタル放送を、中央の残り１セグメントでワンセグ放送を送信している。なお、エリアワンセグ放送は、このワンセグ放送を極めて狭い特定のエリア内のみで放送するものである。
【００２０】
図１に戻り、ワンセグ放送は、ネットワーク６２を介してコンテンツ配信サーバ６０からワンセグ送信機５０に配信される。ワンセグ送信機５０は、コンテンツ配信サーバ６０から配信された放送コンテンツを、各送信機毎に予め設定されているチャンネル番号の周波数（チャンネル）を使って変調し放送波として送信する。各ワンセグ送信機５０は、それぞれの送信出力に応じて、数ｍ〜数百ｍの配信可能範囲がある。図１では、各ワンセグ送信機５０に対してそれぞれの配信可能範囲がエリアＡ、エリアＢとして示されている。
【００２１】
携帯端末３０は、ワンセグ放送受信機能を有する小型の端末であり、例えば、スマートフォン、携帯電話機、タブレット端末、ノートパソコン等であってもよい。携帯端末３０は、受信したワンセグ放送を再生するための液晶ディスプレイ等の画面を有する。
【００２２】
携帯端末３０のユーザは、携帯端末３０が各ワンセグ送信機５０の配信可能範囲、すなわちエリアＡ、Ｂ内にある場合、ワンセグ放送のチャンネルを設定することにより、ワンセグ送信機５０からのワンセグ放送を受信、復調して放送コンテンツを視聴することができる。
【００２３】
携帯端末３０のユーザは、現在位置で受信可能であるワンセグ放送のチャンネル情報（周波数）を、各エリア内にあるモニタ１０から取得することができる。モニタ１０は、モニタの設置場所がワンセグ放送の受信範囲内にあるとき、ワンセグ送信機５０に設定されているチャンネル情報を取得する。例えば、予め近隣に存在するワンセグ送信機５０のＩＰアドレス等のネットワーク上の識別情報がモニタ１０の記憶装置に格納されており、モニタ１０がこの識別情報を使用してネットワーク６２経由でワンセグ送信機５０にアクセスし、設定されているチャンネル情報を取得するようにしてもよい。代替的に、ワンセグ送信機５０の受信可能範囲にあるモニタ１０を予め特定しておき、広告業者等がそのチャンネル情報をモニタ１０の記憶装置に格納しておいてもよい。または、モニタ１０自身がワンセグ受信アンテナを備えており、そのアンテナで受信できたワンセグ放送のチャンネル情報を記憶装置に格納するようにしてもよい。
【００２４】
モニタ１０は、取得したチャンネル情報を電子透かしの形態でコンテンツ映像に埋め込む。そして、モニタ１０は、電子透かしの埋め込まれたコンテンツ映像をディスプレイに表示する。
【００２５】
携帯端末３０のユーザは、端末に内蔵されているカメラ（図示せず）を用いて、モニタ１０上で再生されているコンテンツ映像の一部または全体を撮像する。携帯端末３０は、撮像したコンテンツ映像を解析して電子透かしを読み取ることで、各エリアで受信可能であるワンセグ放送のチャンネル情報を取得する。携帯端末３０は、取得したチャンネル情報を用いて選局操作を行う。これによって、携帯端末３０のユーザは、自身の現在位置で受信可能であるワンセグ放送を選局、復調し、受信した放送コンテンツを視聴することが可能になる。
【００２６】
図３〜５は、図１のモニタ１０、携帯端末３０およびワンセグ送信機５０の構成をそれぞれ示す図である。これらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２７】
図３を参照して、モニタ１０の構成を説明する。
モニタ１０は、コンテンツ取得部１２、映像処理部１４、チャンネル情報取得部１６、電子透かし合成部１８および映像表示部２０を含む。
【００２８】
コンテンツ取得部１２は、ネットワーク６２を経由してコンテンツ配信サーバ６０からコンテンツ映像を取得する。代替的に、コンテンツ映像が予めモニタ１０の記憶装置（図示せず）に格納されていてもよい。
【００２９】
映像処理部１４は、コンテンツ取得部１２で取得されたコンテンツ映像が符号化されている場合、これをデコードする。
【００３０】
チャンネル情報取得部１６は、モニタ１０の存在する場所で受信可能であるワンセグ放送のチャンネル情報を、ネットワーク６２を経由してワンセグ送信機５０から取得する。代替的に、チャンネル情報が予めモニタ１０の記憶装置に格納されていてもよいし、所定のサーバからチャンネル情報を取得してもよい。
【００３１】
電子透かし合成部１８は、チャンネル情報取得部１６で取得されたチャンネル情報を電子透かしとしてコンテンツ映像に埋め込む。電子透かしの埋め込みは周知技術なので、詳細な説明を省略する。
【００３２】
映像表示部２０は、電子透かしが埋め込まれたコンテンツ映像を表示する。
【００３３】
図４を参照して、携帯端末３０の構成を説明する。
携帯端末３０は、撮像部３２、電子透かし解析部３４、ワンセグ受信部３６および出力部３８を含む。
【００３４】
撮像部３２は、モニタ１０の映像表示部２０に表示される電子透かし入りのコンテンツ映像を撮像する。電子透かし解析部３４は、コンテンツ映像に埋め込まれた電子透かしを解析してチャンネル情報を取り出す。
【００３５】
ワンセグ受信部３６は、電子透かし解析部３４で取り出されたチャンネル情報を用いてワンセグ送信機５０からのワンセグ放送を選局、復調し、放送コンテンツを受信する。
【００３６】
出力部３８は、ワンセグ受信部３６で受信された放送コンテンツである映像信号、音声信号をそれぞれディスプレイ、スピーカに出力する。
【００３７】
なお、電子透かしの解析は、携帯端末３０のユーザからの指示に応じて開始されてもよいし、自動的に開始されてもよい。前者の場合、携帯端末３０の撮像部３２でモニタ１０の映像表示部２０に表示されるコンテンツ映像を撮像した後に、ユーザがメニュー画面等から電子透かしの読み取りを指示したとき、電子透かし解析部３４が撮像したコンテンツ映像の解析を開始する。後者の場合、撮像部３２の起動中は常に電子透かし解析部３４がバックグラウンドで動作しており、撮像されたコンテンツ映像内に電子透かしが含まれるときに自動的に解析を開始し、選局まで自動的に行われるように携帯端末を構成してもよい。
【００３８】
図５を参照して、ワンセグ送信機５０の構成を説明する。
ワンセグ送信機５０は、コンテンツ取得部５２、変調部５４、送信部５６およびチャンネル情報管理部５８を含む。
【００３９】
コンテンツ取得部５２は、ネットワーク６２を経由してコンテンツ配信サーバ６０から放送コンテンツを取得する。
【００４０】
チャンネル情報管理部５８は、各ワンセグ送信機について予め設定されたチャンネルを記憶する。モニタ１０からチャンネル情報の要求があった場合、チャンネル情報をモニタ１０に送信する。
【００４１】
変調部５４は、取得された放送コンテンツを予め設定されているチャンネル（すなわち周波数）を使用して変調する。送信部５６は、変調された放送コンテンツを放送波として出力する。
【００４２】
図６は、本実施形態に係るワンセグ放送受信方法のフローチャートである。モニタ１０のコンテンツ取得部１２は、コンテンツ配信サーバ６０からコンテンツ映像を取得する（Ｓ１０）。モニタ１０のチャンネル情報取得部１６は、そのエリアで受信可能であるワンセグ放送のチャンネル情報を取得する（Ｓ１２）。モニタ１０の電子透かし合成部１８は、コンテンツ映像にチャンネル情報を電子透かしとして埋め込む（Ｓ１４）。ユーザは、携帯端末３０の撮像部３２でモニタ１０に表示されるコンテンツ映像を撮像する（Ｓ１６）。携帯端末３０の電子透かし解析部３４は、コンテンツ映像の電子透かしからチャンネル情報を取り出す（Ｓ１８）。携帯端末３０のワンセグ受信部３６は、チャンネル情報にしたがってワンセグ放送を選局、復調し、放送コンテンツを受信する（Ｓ２０）。
【００４３】
以上説明したように、本実施形態によれば、デジタルサイネージモニタ表示用のコンテンツ映像に、そのモニタの位置するエリアで放送されているワンセグ放送のチャンネル情報が電子透かしとして埋め込んでディスプレイ（表示部）に表示する。このコンテンツ映像を携帯端末内蔵のカメラ（撮像部）で撮像し、埋め込まれたチャンネル情報を取得することで、携帯端末でワンセグ放送を選局、復調し、受信した放送コンテンツを視聴することが可能になる。
【００４４】
したがって、ユーザ自身がワンセグ放送を受信するための設定等を行う必要がない。また、デジタルサイネージモニタがそのエリアで受信可能なワンセグ放送のチャンネル情報を取得して、コンテンツ映像に対する電子透かしの埋め込みを行うので、チャンネル情報を埋め込んだコンテンツ映像をデジタルサイネージモニタ毎に予め作成しておく必要がない。また、電子透かしを用いることで、コンテンツ映像の一部がバーコードやＱＲコード（登録商標）等によって遮られるようなことがなく、コンテンツの視認を妨げることがない。また、電子透かしであればモニタのディスプレイサイズによる影響を受けにくいので、比較的遠距離からコンテンツ映像を撮像したときでも、チャンネル情報を読み出すことができる。
【００４５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４６】
実施の形態では、携帯端末でワンセグ放送を受信することを説明した。しかし、本発明はワンセグ放送の受信に限られず、１２セグメント放送を受信する場合にも適用することができる。また、将来実施される可能性がある二つ以上のセグメントを利用する放送を受信する場合にも本発明を適用することができる。
【符号の説明】
【００４７】
１０  デジタルサイネージモニタ、  １２  コンテンツ取得部、  １４  映像処理部、  １６  チャンネル情報取得部、  １８  電子透かし合成部、  ３０  携帯端末、  ３２  撮像部、  ３４  解析部、  ３６  ワンセグ受信部、  ３８  出力部、  ５０  ワンセグ送信機、  ６０  コンテンツ配信サーバ、  ６２  ネットワーク。
【図１】
2012244591.tif 000003
【図２】
2012244591.tif 000004
【図３】
2012244591.tif 000005
【図４】
2012244591.tif 000006
【図５】
2012244591.tif 000007
【図６】
2012244591.tif 000008